(57)【要約】【課題】ドットマトリックス型パッシブ駆動方式で用いるライン状電極の厚みを表示媒体を構成する粒子の平均粒子径に基づいて最適化することにより、所望の表示性能が得られるようにした情報表示用パネルを提供する。【解決手段】基板１，２間に隔壁４によって形成したセル内に光学的反射率および帯電性を有する粒子を含んで構成した２種類の粒子群３Ｗ，３Ｂからなる表示媒体３を封入し、２枚の基板にそれぞれ設けたライン状電極５，６が交差して形成する対電極から表示媒体３に電界を付与することによって、表示媒体３を移動させて画像等の情報を表示する本発明の情報表示用パネルでは、ライン状電極５，６の厚みＥｔが粒子群３Ｗまたは粒子群３Ｂの平均粒子径のうち小さい方の平均粒子径Ｄ１未満かつ５ｎｍを超える厚みに設定されている。【選択図】図５
2009145433.tif 000002
【特許請求の範囲】
【請求項１】
少なくとも一方が透明な２枚の基板間に隔壁によって仕切られた複数のセルを形成し、該セル内に光学的反射率および帯電性を有する粒子を含んで構成した粒子群からなる表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルであって、
各ライン状電極の厚みと、前記少なくとも２種類の表示媒体とする各粒子群の平均粒子径との関係において、前記少なくとも２種類の表示媒体とする各粒子群の平均粒子径のうち最も小さい平均粒子径よりも、各ライン状電極の厚みを小さくしたことを特徴とする情報表示用パネル。
【請求項２】
少なくとも一方が透明な２枚の基板間に隔壁によって仕切られた複数のセルを形成し、該セル内に光学的反射率および帯電性を有する粒子を含んで構成した粒子群からなる、表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルであって、
各ライン状電極の厚みと、前記少なくとも２種類の表示媒体とする各粒子群が含む光学的反射率および帯電性を有する粒子の平均粒子径との関係において、前記少なくとも２種類の表示媒体とする各粒子群が含む光学的反射率および帯電性を有する粒子の平均粒子径のうち最も小さい平均粒子径よりも、各ライン状電極の厚みを小さくしたことを特徴とする情報表示用パネル。
【請求項３】
各ライン状電極の厚みが５ｎｍより大きいことを特徴とする請求項１または２に記載の情報表示用パネル。
【請求項４】
隔壁により形成されるセルの配置とライン状電極の配置とを対応させることを特徴とする請求項１〜３の何れか１項に記載の情報表示用パネル。
【発明の詳細な説明】
【技術分野】
【０００１】
本発明は、少なくとも一方が透明な２枚の基板間の空間に光学的反射率および帯電性を有する粒子を含んで構成した粒子群からなる表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルに関するものである。
【背景技術】
【０００２】
液晶表示装置（ＬＣＤ）に代わるドットマトリックス型情報表示装置として、気体中で粒子を移動させる方式（例えば電子粉流体方式）、液体中で粒子を移動させる方式（電気泳動方式）、エレクトロクロミック方式、サーマル方式、２色粒子回転方式等の技術を用いた情報表示用パネルによる情報表示装置が提案されている。
【０００３】
これら従来技術による情報表示用パネルは、ＬＣＤに用いる液晶方式の情報表示用パネルと比較すると、通常の印刷物に近い広い視野角が得られる、消費電力が小さい、メモリ機能を有している等のメリットがあることから、次世代の安価な情報表示装置に使用可能な情報表示用パネルとして考えられており、携帯端末用情報表示、電子ペーパー等への展開が期待されている。
【０００４】
上述した種々の次世代型の情報表示用パネルの中でも、少なくとも一方が透明な２枚の基板間の空間に光学的反射率および帯電性を有する粒子を含んで構成した粒子群からなる表示媒体を少なくとも２種類封入し、２枚の基板にそれぞれ設けたライン状電極から少なくとも２種類の表示媒体に電界を付与することによって、少なくとも２種類の表示媒体を移動させて画像等の情報を表示する情報表示パネルは、表示メモリー性（bistable性）に優れ、駆動しきい値を有していることから、対電極を対向直交交差するライン状電極で構成したドットマトリックス型パッシブ駆動方式の情報表示用パネルとすることができ、アクティブ駆動方式の情報表示パネルに比べて安価なものとして期待されている（例えば特許文献１参照）。
【０００５】
【特許文献１】特開２００６−５８６４３号公報
【発明の開示】
【発明が解決しようとする課題】
【０００６】
前記構成の情報表示用パネルに設ける対電極は対向する基板のそれぞれに設けるが、その際、基板内側表面に電極を形成し、電極と表示媒体とが互いに接するようにする、もしくは、極薄の膜（例えば絶縁膜）で電極をコートして配置する。いずれにおいても、基板表面に対して電極部分が凸状になるため、電極表面と基板表面とは平滑でなく、電極間に凹みが生じることになる。また、ドットマトリックス型パッシブ駆動方式で用いる対電極は、ライン状電極を対向して直交するように配置するが、これらのライン状電極の厚みに応じてライン状電極の電気抵抗が変化するため、ライン状電極の厚みを最適化しないと、表示画質（例えばコントラスト）がばらつく問題や表示性能に不具合を来たす問題が生じる。すなわち、ライン状電極が薄すぎると、ライン状電極の電気抵抗が高くなり、電圧降下により電極位置による電圧に差を生じるようになり、表示性能に不具合を来たすとともに、印加電圧波形に変化が生じて、表示性能に不具合を来たす。また、粒子が移動するセル内空間を空気などの酸素を含んだ気体で満たした場合や湿分を含んだ気体で満たした場合、ライン状電極は酸化劣化を受けることになるが、このとき、ライン状電極が薄すぎると、酸化劣化の影響がすぐに出るようになり、表示性能に不具合を来たす。一方、ライン状電極が厚すぎると、表示媒体とする粒子がライン状電極間に埋没して動けなくなり、表示性能に不具合を来たす。
【０００７】
本発明は、ドットマトリックス型パッシブ駆動方式で用いるライン状電極の厚みを、表示媒体とする粒子の平均粒子径に基づいて最適化することにより、所望の表示品質が得られるようにした情報表示用パネルを提供することを目的とする。
【課題を解決するための手段】
【０００８】
上記目的を達成するため、本発明の請求項１に係る情報表示用パネルは、少なくとも一方が透明な２枚の基板間に隔壁によって仕切られた複数のセルを形成し、該セル内に光学的反射率および帯電性を有する粒子を含んで構成した粒子群からなる表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルであって、各ライン状電極の厚みと、前記少なくとも２種類の表示媒体とする各粒子群の平均粒子径との関係において、前記少なくとも２種類の表示媒体とする各粒子群の平均粒子径のうち最も小さい平均粒子径よりも、各ライン状電極の厚みを小さくしたことを特徴とする。
【０００９】
上記目的を達成するため、本発明の請求項２に係る情報表示用パネルは、少なくとも一方が透明な２枚の基板間に隔壁によって仕切られた複数のセルを形成し、該セル内に光学的反射率および帯電性を有する粒子を含んで構成した粒子群からなる、表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルであって、各ライン状電極の厚みと、前記少なくとも２種類の表示媒体とする各粒子群が含む光学的反射率および帯電性を有する粒子の平均粒子径との関係において、前記少なくとも２種類の表示媒体とする各粒子群が含む光学的反射率および帯電性を有する粒子の平均粒子径のうち最も小さい平均粒子径よりも、各ライン状電極の厚みを小さくしたことを特徴とする。
【００１０】
本発明の情報表示用パネルの好適例としては、各ライン状電極の厚みが５ｎｍより大きいこと、および、隔壁により形成されるセルの配置とライン状電極の配置とを対応させること、がある。
【発明の効果】
【００１１】
上記本発明の請求項１に係る情報表示用パネルによれば、少なくとも一方が透明な２枚の基板間に隔壁によって仕切られた複数のセルを形成し、該セル内に光学的反射率および帯電性を有する粒子を含んで構成した粒子群からなる表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルにおける、各ライン状電極の厚みと、前記少なくとも２種類の表示媒体とする各粒子群の平均粒子径との関係において、前記少なくとも２種類の表示媒体とする各粒子群の平均粒子径のうち最も小さい平均粒子径よりも、各ライン状電極の厚みを小さくしたから、ドットマトリックス型パッシブ駆動方式で用いるライン状電極の厚みが表示媒体とする粒子群の平均粒子径に基づいて最適化されることになり、ライン状電極が厚すぎる場合のように、表示媒体とする粒子群がライン状電極間に埋没して動けなくなって表示性能に不具合を来たす問題や、ライン状電極が薄すぎる場合のように、ライン状電極の電気抵抗が高くなって電圧降下により電極位置による電圧に差を生じて表示性能に不具合を来たしたり、印加電圧波形に変化が生じて表示性能に不具合を来たす問題や、粒子が移動するセル内空間を空気などの酸素を含んだ気体で満たしたり湿分を含んだ気体で満たした場合にライン状電極に酸化劣化の影響がすぐに出て表示性能に不具合を来たす問題を防止することができる。したがって、所望の表示性能が得られるようにした情報表示用パネルを提供することことができる。
【００１２】
上記本発明の請求項２に係る情報表示用パネルによれば、少なくとも一方が透明な２枚の基板間に隔壁によって仕切られた複数のセルを形成し、該セル内に光学的反射率および帯電性を有する粒子を含んで構成した粒子群からなる、表示媒体を少なくとも２種類封入し、２枚の基板にそれぞれ設けたライン状電極が交差して形成する対電極から表示媒体に電界を付与することによって、前記少なくとも２種類の表示媒体を移動させて画像等の情報を表示する情報表示用パネルにおける、各ライン状電極の厚みと、前記少なくとも２種類の表示媒体とする各粒子群が含む光学的反射率および帯電性を有する粒子の平均粒子径との関係において、前記少なくとも２種類の表示媒体とする各粒子群が含む光学的反射率および帯電性を有する粒子の平均粒子径のうち最も小さい平均粒子径よりも、各ライン状電極の厚みを小さくしたから、ドットマトリックス型パッシブ駆動方式で用いるライン状電極の厚みが少なくとも２種類の表示媒体とする各粒子群が含む光学的反射率および帯電性を有する粒子の平均粒子径に基づいて最適化されることになり、ライン状電極が厚すぎる場合のように、表示媒体とする各粒子群が含む光学的反射率および帯電性を有する粒子がライン状電極間に埋没して動けなくなって表示性能に不具合を来たす問題や、ライン状電極が薄すぎる場合のように、ライン状電極の電気抵抗が高くなって電圧降下により電極位置による電圧に差を生じて表示性能に不具合を来たしたり、印加電圧波形に変化が生じて表示性能に不具合を来たす問題や、粒子が移動するセル内空間を空気などの酸素を含んだ気体で満たしたり湿分を含んだ気体で満たした場合にライン状電極に酸化劣化の影響がすぐに出て表示性能に不具合を来たす問題を防止することができる。したがって、所望の表示性能が得られるようにした情報表示用パネルを提供することことができる。
【発明を実施するための最良の形態】
【００１３】
以下、本発明を実施するための最良の形態を図面に基づき詳細に説明する。
【００１４】
まず、本発明の情報表示用パネルの一例について説明する。本発明の情報表示用パネルでは、対向する２枚の基板間の空間に封入した光学的反射率を有する帯電性粒子を含んで構成した少なくとも２種類の粒子群からなる表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の対象となる情報表示用パネルの例を、図１（ａ），（ｂ）〜図３（ａ），（ｂ）に基づき説明する。
【００１６】
図１（ａ），（ｂ）に示す例では、それぞれが互いに光学的反射率および帯電特性の異なる粒子を含んだ粒子群で構成した少なくとも２種以上の表示媒体３（ここでは表示媒体用白色帯電粒子３Ｗａを含んで構成した粒子群からなる白色表示媒体３Ｗと表示媒体用黒色帯電粒子３Ｂａを含んで構成した粒子群からなる黒色表示媒体３Ｂを示す）を、隔壁４で形成された各セルの気体中空間において、基板１に設けた電極５（ライン状電極）と基板２に設けた電極６（ライン状電極）が対向直交交差して形成する対電極間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は、基板の内側に設けるが、電極が露出していても、電極が他材料でコートされていてもよい。電極を他材料でコートする場合、誘電率、導電率絶縁性などの電気的な性質や、セル内の粒子との付着性を考慮して、適正な材料を用いる。
【００１７】
図２（ａ），（ｂ）に示す例では、それぞれが互いに光学的反射率および帯電特性の異なる粒子を含んだ粒子群で構成した少なくとも２種以上の表示媒体３（ここでは表示媒体用白色帯電粒子３Ｗａを含んで構成した粒子群からなる白色表示媒体３Ｗと表示媒体用黒色帯電粒子３Ｂａを含んで構成した粒子群からなる黒色表示媒体３Ｂを示す）を、隔壁４で形成された各セルの絶縁透明液体７を満たした絶縁液体中空間において、基板１に設けた電極５（ライン状電極）と基板２に設けた電極６（ライン状電極）が対向直交交差して形成する対電極間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。電極は、基板の内側に設けるが、電極が露出していても、電極が他材料でコートされていてもよい。電極を他材料でコートする場合、誘電率、導電率絶縁性などの電気的な性質や、セル内の粒子との付着性を考慮して、適正な材料を用いる。
【００１８】
図３（ａ）、（ｂ）に示す例では、３個のセルで表示単位（１ドット）を構成するカラー表示の例を示している。図３（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２Ｂを設け、第１のセル２１−１、第２のセル２１−２および第３のセル２１−３の３個のセルで表示単位（１ドット）を構成している。本例では、カラー表示を行う際に、図３（ａ）に示すように、観察者側に、第１セル２１−１〜第３のセル２１−３の全てにおいて白色表示媒体３Ｗを移動することで、観察者に対し白色ドット表示を行うか、あるいは、図３（ｂ）に示すように、観察者側に、第１セル２１−１〜第３のセル２１−３の全てにおいて黒色表示媒体３Ｂを移動することで、観察者に対し黒色ドット表示を行っている。なお、図３（ａ）、（ｂ）において、手前にある隔壁は省略している。各セルにおける表示媒体の移動のさせ方で、多色カラー表示を行うことができる。
【００１９】
以下、本発明の情報表示用パネルについて詳細に説明する。本発明の情報表示用パネルは、少なくとも一方が透明な２枚の基板間に隔壁によって仕切られた複数のセルを形成し、該セル内にそれぞれが互いに光学的反射率および帯電特性が異なる粒子を含んだ粒子群で構成した少なくとも２種以上の表示媒体を封入し、２枚の基板にそれぞれ設けたライン状電極が交差して形成する対電極から表示媒体に電界を付与することによって、少なくとも２種類の表示媒体を移動させて画像等の情報を表示する情報表示用パネルであり、各ライン状電極（基板１に設けたライン状電極５および基板２に設けたライン状電極６）の厚みが表示媒体とする各粒子群のそれぞれの平均粒子径に基づく厚みに、あるいは、表示媒体とする各粒子群に含まれる光学的反射率および帯電性を有する粒子のそれぞれの平均粒子径に基づく厚みに基づいて設定されることを特徴としている。
【００２０】
ライン状電極５およびライン状電極６の厚みをＥｔとし、少なくとも２種類の表示媒体とするそれぞれの表示媒体を構成する粒子群の平均粒子径のうち最小の平均粒子径をＤ１とし、少なくとも２種類の表示媒体とするそれぞれの表示媒体を構成する粒子群が含む帯電性粒子の平均粒子径のうち最小の平均粒子径をＤ２としたとき、ライン状電極５およびライン状電極６の厚みＥｔは、
５ｎｍ＜Ｅｔ＜Ｄ１    ５ｎｍ＜Ｅｔ＜Ｄ２                  −（１）
であることが好ましい。
ライン状電極５，６が薄すぎると（例えばライン状電極５，６の厚みＥｔが５ｎｍ（５０Å）未満であると）、ライン状電極の電気抵抗が高くなり、電圧降下により電極位置による電圧に差を生じるようになり、表示性能に不具合を来たすとともに、印加電圧波形に変化が生じて、表示性能に不具合を来たす。また、粒子が移動するセル内空間を空気などの酸素を含んだ気体で満たした場合や湿分を含んだ気体で満たした場合、ライン状電極は酸化劣化を受けることになるが、このとき、ライン状電極が薄すぎると（例えばライン状電極５，６の厚みＥｔが５ｎｍ（５０Å）未満であると）、酸化劣化の影響がすぐに出るようになり、表示性能に不具合を来たす。一方、ライン状電極５，６が厚すぎると（ライン状電極５，６の厚みＥｔが少なくとも２種類の表示媒体とするそれぞれの表示媒体を構成する粒子群の平均粒子径のうち最小の平均粒子径Ｄ１（例えば５μｍ）を超えたり、少なくとも２種類の表示媒体とするそれぞれの表示媒体を構成する粒子群が含む帯電粒子の平均粒子径のうち最小の平均粒子径Ｄ２（例えば５μｍ）を超えたりすると）、少なくとも２種類の表示媒体とするそれぞれの表示媒体を構成する粒子がライン状電極間に埋没して動けなくなり、表示性能に不具合を来たす。
ライン状電極５，６のうち、少なくとも表示面側に設けない電極は、金属製電極であることが、ライン状電極の電気抵抗を低く抑える上で好ましい。ライン状電極５，６の厚みは同一でも異なっていてもよく、ライン状電極５，６の材質は同一でも異なっていてもよい。また、隔壁により形成されるセルの配置とライン状電極の配置とを対応させること（電極５，６が互いに交差するライン状電極である場合に、隔壁を格子状配列とすること）が、１つのセルから他のセルへの粒子の移動を防止する上で好ましい。
【００２１】
本発明の情報表示用パネルによれば、ライン状電極５およびライン状電極６の厚みをＥｔとし、少なくとも２種類の表示媒体とするそれぞれの表示媒体を構成する粒子群の平均粒子径のうち最小の平均粒子径をＤ１とし、少なくとも２種類の表示媒体とするそれぞれの表示媒体を構成する粒子群が含む帯電粒子の平均粒子径のうち最小の平均粒子径をＤ２としたとき、ライン状電極５およびライン状電極６の厚みＥｔが、５ｎｍ＜Ｅｔ＜Ｄ１  ５ｎｍ＜Ｅｔ＜Ｄ２  に設定されるから、ドットマトリックス型パッシブ駆動方式で用いるライン状電極の厚みが少なくとも２種類の表示媒体とするそれぞれの表示媒体を構成する粒子群または少なくとも２種類の表示媒体とするそれぞれの表示媒体を構成する粒子群が含む帯電性粒子の平均粒子径に基づいて最適化されることになり、ライン状電極が厚すぎる場合のように、少なくとも２種類の表示媒体とするそれぞれの表示媒体を構成する粒子群または少なくとも２種類の表示媒体とするそれぞれの表示媒体を構成する粒子群が含む帯電性粒子がライン状電極間に埋没して動けなくなって表示性能に不具合を来たす問題や、ライン状電極が薄すぎる場合のように、ライン状電極の電気抵抗が高くなって電圧降下により電極位置による電圧に差を生じて表示性能に不具合を来たしたり、印加電圧波形に変化が生じて表示性能に不具合を来たす問題や、粒子が移動するセル内空間を空気などの酸素を含んだ気体で満たしたり湿分を含んだ気体で満たした場合にライン状電極に酸化劣化の影響がすぐに出て表示性能に不具合を来たす問題を防止することができる。したがって、所望の表示性能が得られるようにした情報表示用パネルを提供することことができる。
【００２２】
以下、本発明の対象となる情報表示用パネルを構成する各部材について説明する。
【００２３】
基板としては、少なくとも一方の基板はパネル外側から表示媒体の色が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の  有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ちにくくなり、２０００μｍより厚いと、薄型情報表示用パネルとする場合に不都合がある。
【００２４】
基板に設ける電極の形成材料としては、アルミニウム、銀、ニッケル、銅、金等の金属類や酸化インジウム錫（ＩＴＯ）、酸化亜鉛アルミニウム（ＡＺＯ）、酸化インジウム、導電性酸化錫、亜鉛ドープ酸化インジウム（ＩＺＯ）、アンチモン錫酸化物（ＡＴＯ）、導電性酸化亜鉛等の導電金属酸化物類、ポリアニリン、ポリピローラ、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、金属箔（例えば圧延銅箔）をラミネートする方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、０．００５〜１０μｍの範囲で、少なくとも２種類の表示媒体に用いるそれぞれの表示媒体を構成する粒子群が含む帯電性粒子の平均粒子径との関係、あるいは、少なくとも２種類の表示媒体に用いるそれぞれの表示媒体を構成する粒子群の平均粒子径との関係から好適な厚みとする。背面側基板に設ける電極の材質や厚みなどは上述した表示面側基板に設ける電極と同様であるが、光透過性を鑑みる必要はない。なお、この場合の外部電圧入力は、直流あるいは交流を重畳しても良い。
【００２５】
基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、上面基板のみにリブを形成する片リブ法が好適に用いられる。
これらのリブからなる隔壁により形成されるセルは、図４に示すごとく、基板平面方向からみて四角状、三角状、ライン状、円形状、六角状が例示され、配置としては格子状やハニカム状や網目状が例示されるが、本発明では、格子状配列が好適であり、さらには四角状かつ格子状配列がより好適である。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００２６】
次に、本発明の対象となる情報表示用パネルにおいて表示媒体を構成する粒子群が含む光学的反射率を有する帯電性粒子について説明する。前記粒子（表示媒体用粒子ともいう）は光学的反射率と帯電性とを有する粒子であり、そのまま該表示媒体用粒子だけで構成した粒子群として表示媒体としたり、その他の粒子と合わせて構成した粒子群として表示媒体としたりして用いられる。
表示媒体用粒子には、その主成分となる樹脂に、必要に応じて、荷電制御剤、着色剤、無機添加剤等を含ますことができる。以下に、樹脂、荷電制御剤、着色剤、その他添加剤を例示する。
【００２７】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２８】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２９】
着色剤としては、以下に例示するような、有機または無機の各種、各色の顔料、染料が使用可能である。
【００３０】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３１】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３２】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３３】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示媒体用粒子を作製できる。
【００３４】
また、表示媒体用粒子（以下、粒子ともいう）は平均粒子径d(0.5)が、１〜５０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３５】
さらに本発明では、各表示媒体用粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、表示媒体用粒子のサイズが揃い、均一な表示媒体としての移動が可能となる。
【００３６】
さらにまた、各表示媒体用粒子の相関について、使用した表示媒体用粒子の内、最大径を有する表示媒体用粒子のd(0.5)に対する最小径を有する表示媒体用粒子のd(0.5)の比を１０以下とすることが肝要である。たとえ粒子径分布Spanを小さくしたとしても、互いに帯電特性の異なる表示媒体用粒子が互いに反対方向に動くので、互いの表示媒体用粒子サイズが近く、互いの表示媒体用粒子が当量ずつ反対方向に容易に移動できるようにするのが好適であり、それがこの範囲となる。
【００３７】
なお、上記の粒子径分布および粒子径は、レーザー回折／散乱法などから求めることができる。測定対象となる表示媒体用粒子にレーザー光を照射すると空間的に回折／散乱光の光強度分布パターンが生じ、この光強度パターンは粒子径と対応関係があることから、表示媒体用粒子の粒子径および粒子径分布が測定できる。
ここで、本発明における表示媒体用粒子の粒子径および粒子径分布は、体積基準分布から得られたものである。具体的には、Mastersizer2000(Malvern Instruments Ltd.）測定機を用いて、窒素気流中に表示媒体用粒子を投入し、付属の解析ソフト（Mie理論を用いた体積基準分布を基本としたソフト）にて、粒子径および粒子径分布の測定を行なうことができる。
【００３８】
さらに、表示媒体を気中空間で駆動させる情報表示用パネルとする場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図３（ａ），（ｂ）において、対向する基板１、基板２に挟まれる部分から、電極５、６、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００３９】
本発明の対象となる情報表示用パネルにおける基板と基板との間隔は、表示媒体が移動できて、コントラストを維持できればよいが、通常１０〜１００μｍ、好ましくは１０〜５０μｍに調整される。
対向する基板間を気体中空間とする場合の表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【実施例】
【００４０】
以下、本発明の実施例および比較例を示して、本発明をさらに具体的に説明するが、本発明は下記実施例に限定されるものではない。なお、以下の実施例および比較例では、平均粒子径として、「表示媒体とする粒子群が含む表示媒体用粒子（帯電粒子）の平均粒子径」を記載したが、「表示媒体とする粒子群の平均粒子径（帯電粒子と外添剤粒子とが混ざった状態の平均粒子径）」を測定した結果においてもほとんど同じ数値であった。帯電粒子とともに粒子群を構成する外添剤粒子はナノメータクラスの粒子径の粒子であり、帯電粒子に付着した一体粒子として測定された平均粒子径はわずかに大きくなるが、帯電粒子に付着しないで独立して存在するものは平均粒子径がわずかに小さくなるように測定され、結果的には、外添剤粒子があっても無くても、測定される平均粒子径は大体同じになる。
【００４１】
＜実施例１＞
表示媒体３として、平均粒子径１０．２μｍの表示媒体用白色負帯電性粒子３Ｗａを含んで構成した粒子群からなる白色表示媒体３Ｗおよび平均粒子径９．４μｍの表示媒体用黒色正帯電性粒子３Ｂａを含んで構成した粒子群からなる黒色表示媒体３Ｂを用いるとともに、基板１に設ける背面側電極（電極間の隙間が２０μｍのライン状電極）５および基板２に設ける表示面側電極（ライン状電極）６として、厚み１００ｎｍで表面抵抗率１５Ω／□のＩＴＯ電極を用いて、互いに対向直交するようにして対電極とし、図５に示す実施例１の帯電粒子移動方式の情報表示用パネルを作製した。その際、隔壁（リブ）４は格子状に設けたが、対向電極が形成する表示単位と隔壁（リブ）で囲まれたセルの位置とは対応していない。この情報表示用パネルは、ドットマトリックス型パッシブ駆動方式で用いるライン状電極の厚みが表示媒体を構成する粒子の平均粒子径に基づいて最適化されたため、評価試験の途中で、ライン状電極間の隙間に入って動かなくなる粒子の有無を、顕微鏡による５０倍拡大で目視確認したところ、ライン状電極間の隙間に入った粒子はなく、表示媒体とする粒子が隔壁で囲まれた隣のセルに移動してしまうこともなく、書換表示を繰り返す際の耐久性が良好になった。また、光学濃度計（グレタグマスベス社製  ＲＤ９１８）を用いて、白色ベタ画像表示させたときの画像反射濃度Ｄｗと黒色ベタ画像表示させたときの画像反射濃度Ｄｂとを測定し、両者の比（Ｄｂ／Ｄｗ）を表示コントラストと定義したとき、初期の表示コントラストは１０であり、１万回書き換えを繰り返した後の表示コントラストは８であり、表示コントラストが低下しない良好な表示性能が得られた。
【００４２】
＜実施例２＞
表示媒体３として、平均粒子径１０．２μｍの表示媒体用白色負帯電性粒子３Ｗａを含んで構成した粒子群からなる白色表示媒体３Ｗおよび平均粒子径９．４μｍの表示媒体用黒色正帯電性粒子３Ｂａを含んで構成した粒子群からなる黒色表示媒体３Ｂを用い、基板１に設ける背面側電極（電極間の隙間が２０μｍのライン状電極）５として、銅メッキを施した厚み３μｍの電極を用いるとともに、基板２に設ける表示面側電極（ライン状電極）６として、厚み１００ｎｍで表面抵抗率１５Ω／□のＩＴＯ材料を用い厚み２００ｎｍのＩＴＯ電極を形成し、互いに対向直交するようにして対電極とし、図６に示す実施例２の帯電粒子移動方式の情報表示用パネルを作製した。その際、隔壁（リブ）４は格子状に設けたが、対向電極が形成する表示単位と隔壁（リブ）で囲まれたセルの位置とは対応していない。この情報表示用パネルは、ドットマトリックス型パッシブ駆動方式で用いるライン状電極の厚みが表示媒体を構成する粒子の平均粒子径に基づいて最適化されたため、評価試験の途中で、ライン状電極間の隙間に入って動かなくなる粒子の有無を、顕微鏡による５０倍拡大で目視確認したところ、ライン状電極間の隙間に入った粒子はなく、表示媒体とする粒子が隔壁で囲まれた隣のセルに移動してしまうこともなく、書換表示を繰り返す際の耐久性が良好になった。また、光学濃度計（グレタグマスベス社製  ＲＤ９１８）を用いて、白色ベタ画像表示させたときの画像反射濃度Ｄｗと黒色ベタ画像表示させたときの画像反射濃度Ｄｂとを測定し、両者の比（Ｄｂ／Ｄｗ）を表示コントラストと定義したとき、初期の表示コントラストは１２であり、１万回書き換えを繰り返した後の表示コントラストは１０であり、表示コントラストが低下しない良好な表示性能が得られた。
【００４３】
＜比較例１＞
表示媒体３として、平均粒子径１０．２μｍの表示媒体用白色負帯電性粒子３Ｗａを含んで構成した粒子群からなる白色表示媒体３Ｗおよび平均粒子径９．４μｍの表示媒体用黒色正帯電性粒子３Ｂａを含んで構成した粒子群からなる黒色表示媒体３Ｂを用い、基板１に設ける背面側電極（電極間の隙間が２０μｍのライン状電極）５として、銅箔をラミネートした厚み１２μｍの電極を用いるとともに、基板２に設ける表示面側電極（ライン状電極）６として、厚み１００ｎｍで表面抵抗率１５Ω／□のＩＴＯ材料を用い厚み３０ｎｍのＩＴＯ電極を形成し、互いに対向直交するようにして対電極とし、図７に示す比較例１の帯電粒子移動方式の情報表示用パネルを作製した。その際、隔壁（リブ）４をハニカム状に設けたため、対向電極が形成する表示単位と隔壁（リブ）で囲まれたセルの位置とは対応していない。この情報表示用パネルは、電極５と電極５との間に図示のような粒子の平均粒子径よりも深い隙間があるため、書換表示を繰り返した後に隔壁で囲まれたセル間の粒子の移動が起こるとともに、評価試験の途中で、ライン状電極間の隙間に入って動かなくなる粒子の有無を、顕微鏡による５０倍拡大で目視確認したところ、ライン状電極間の隙間に多量の粒子があり、表示コントラストが著しく低下してしまった。その結果、初期の表示コントラストは１２であったが、１万回書き換えを繰り返した後の表示コントラストは１．５に低下してしまい、表示性能の顕著な低下が見られた。
【００４４】
＜比較例２＞
表示媒体３として、平均粒子径１０．２μｍの表示媒体用白色負帯電性粒子３Ｗａを含んで構成した粒子群からなる白色表示媒体３Ｗおよび平均粒子径９．４μｍの表示媒体用黒色正帯電性粒子３Ｂａを含んで構成した粒子群からなる黒色表示媒体３Ｂを用い、基板１に設ける背面側電極（電極間の隙間が２０μｍのライン状電極）５として、銅をスパッタリングした厚み５ｎｍの電極を用いるとともに、基板２に設ける表示面側電極（ライン状電極）６として、厚み１００ｍで表面抵抗率１５Ω／□のＩＴＯ材料を用い厚み５ｎｍのＩＴＯ電極を形成し、互いに対向直交するようにして対電極とし、図８に示す比較例２の帯電粒子移動方式の情報表示用パネルを作製した。その際、隔壁（リブ）４は格子状に設けたが、対向電極が形成する表示単位と隔壁（リブ）で囲まれたセルの位置とは対応していない。この情報表示用パネルは、電極５，６の電気抵抗が大きいためか、表示媒体駆動性が悪く、初期の表示コントラストが２となり、実用上十分でない表示コントラストしか得られなかった。
【００４５】
ライン状電極間の隙間に入って粒子が動かなくなる現象について考察する。図９（ａ）に示すライン状電極５と、図９（ｂ）に示す四角形格子状隔壁４とを組み合わせて情報表示用パネルを作製した場合、対向するライン状電極（ライン状電極５およびライン状電極６）が形成する表示単位と、隔壁４で囲まれたセルの位置とが対応せず、図９（ｃ）に示すように、隣接ライン状電極間の隙間部分８が存在することになる。また、図１０（ａ）に示すライン状電極５と、図１０（ｂ）に示すハニカム状隔壁４とを組み合わせて情報表示用パネルを作製した場合、対向するライン状電極（ライン状電極５およびライン状電極６）が形成する表示単位と、隔壁４で囲まれたセルの位置とが対応せず、図１０（ｃ）に示すように、隣接ライン状電極間の隙間部分８が存在することになる。
【００４６】
図５〜図８に示す構成の場合、何れも上記のような隙間部分８が存在するが、図５に示す実施例１の場合、図６に示す実施例２の場合および図８に示す比較例２の場合は、隙間部分８の幅（例えば２０μｍ）よりも粒子の平均粒子径（９．４μｍ、１０．２μｍ）が小さく、かつ、その平均粒子径よりも隙間部分８の深さ（すなわち、ライン状電極の厚み；１００ｎｍ、３μｍ、５ｎｍ）が小さいため、隙間部分８に入って粒子が動かなくなることはない。一方、図７に示す比較例１の場合は、隙間部分８の幅（例えば２０μｍ）よりも粒子の平均粒子径（９．４μｍ、１０．２μｍ）が小さく、かつ、その平均粒子径よりも隙間部分８の深さ（すなわち、ライン状電極の厚み；１２μｍ）が大きいため、隙間部分８に入って粒子が動かなくなる。なお、図８に示す比較例２の場合は、隙間部分８に入って粒子が動かなくなる問題は回避しているが、ライン状電極５，６の厚みが５ｎｍで、５ｎｍ以下であるため、同じ表面抵抗を有する電極材料で形成したライン状電極５，６であってもその電気抵抗が大きくなって表示媒体駆動性が悪化する問題が生じる。
【産業上の利用可能性】
【００４７】
本発明の情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、外部電界形成手段によって表示を書き換える表示部（いわゆるリライタブルペーパー）としても好適に用いられる。
なお、本発明の技術は、ライン電極を設けてパネル自体にスイッチング素子を用いない単純マトリックス駆動方式の情報表示用パネルについて説明したが、アクティブ駆動方式やスタティック駆動方式などの駆動方式においても適用できる。
【図面の簡単な説明】
【００４８】
【図１】（ａ），（ｂ）は本発明の対象となる情報表示用パネルの原理的構成を示す図である。
【図２】（ａ），（ｂ）は本発明の対象となる情報表示用パネルの原理的構成を示す図である。
【図３】（ａ），（ｂ）は本発明の対象となる情報表示用パネルの原理的構成を示す図である。
【図４】本発明の対象となる情報表示用パネルにおける隔壁の形状の一例を示す図である。
【図５】本発明の実施例１の情報表示用パネルの構成を示す図である。
【図６】本発明の実施例２の情報表示用パネルの構成を示す図である。
【図７】本発明の比較例１の情報表示用パネルの構成を示す図である。
【図８】本発明の比較例２の情報表示用パネルの構成を示す図である。
【図９】（ａ）〜（ｃ）は本発明の実施例および比較例における隣接ライン状電極間の隙間部分と粒子との関係を説明するための図である。
【図１０】（ａ）〜（ｃ）は本発明の実施例および比較例における隣接ライン状電極間の隙間部分と粒子との関係を説明するための図である。
【符号の説明】
【００４９】
１、２  基板
３  表示媒体（粒子群）
３Ｗ  白色表示媒体
３Ｂ  黒色表示媒体
３Ｗａ  表示媒体用白色帯電粒子
３Ｂａ  表示媒体用黒色帯電粒子
４  隔壁
５、６  電極
７  絶縁透明液体
８  隙間部分
２１−１  第１のセル
２１−２  第２のセル
２１−３  第３のセル
２２Ｒ  赤色カラーフィルター
２２Ｇ  緑色カラーフィルター
２２Ｂ  青色カラーフィルター
【図１】
2009145433.tif 000003
【図２】
2009145433.tif 000004
【図３】
2009145433.tif 000005
【図４】
2009145433.tif 000006
【図５】
2009145433.tif 000007
【図６】
2009145433.tif 000008
【図７】
2009145433.tif 000009
【図８】
2009145433.tif 000010
【図９】
2009145433.tif 000011
【図１０】
2009145433.tif 000012